(57)【特許請求の範囲】
【請求項１】
透液性表面シートと不透液性裏面シートとの間に吸液性コアが介在し、胴周り方向と左右脚周り方向の各々に実質的に各々の周り方向に伸縮する弾性部材を有し、前記裏面シートの外面に上下方向に延びる粘着性テープ片を剥離可能に仮着するとともに、該テープ片の上下端部のいずれか一方を前記外面に固着してある使い捨てパンツ型おむつにおいて、
前記裏面シートの内面に胴周り方向に伸長した多数の弾性部材がほぼ平行に貼着してあり、
前記粘着性テープ片が、長手方向に二つに折曲された状態で、前記弾性部材によってはギャザーを生じることのない平滑な前記裏面シートの外面に取り付けられていることを特徴とする前記おむつ。
【請求項２】
多数の前記弾性部材が前記おむつの胴周り開口部周縁から股下域の下端に至る丈の上から１／４以上の範囲にわたって前記裏面シートの内面に貼着してあり、前記粘着性テープ片が多数の前記弾性部材よりも下方に位置する、前記コアの領域上の平滑な前記裏面シートの外面に取り付けてある請求項１記載のおむつ。
【請求項３】
前記おむつの胴周り方向の弾性部材が胴周り開口周縁に貼着した相対的に収縮力の強い弾性リボンと、前記開口周縁を除く前後身頃の少なくともいずれか一方に貼着した相対的に収縮力の弱い弾性リボンとからなる請求項１または２記載のおむつ。
【発明の詳細な説明】
【０００１】
【発明の属する技術分野】
この発明は、パンツ型の使い捨ておむつに関する。
【０００２】
【従来の技術】
従来、排泄物で汚れた使い捨ておむつを廃棄するときに、おむつを丸め、それが再び広がらないように粘着テープやゴム輪で止めることがある。その場合に、開放型のおむつは通常両側部に粘着性のテープファスナーを有するから、そのファスナーを粘着テープやゴム輪に代わる止着手段として利用することができる。一方、パンツ型のおむつにはそのような止着手段がないので、例えば実開平５−２１９３５、同５−３９５３１号公報に開示された技術に基づいて止着用のテープを予め取付けておくことがある。
【０００３】
【発明が解決しようとする課題】
ところで、前記公報の技術は、いずれも粘着性の止着用のテープ片を胴周り開口部や脚周り開口部の近傍において表面シートや裏面シートに仮着することを教示している。しかるに、それら開口部は、その周縁に弾性部材を伸長状態で貼着し、ギャザー仕立てにすることが普通であるから、そのギャザーによって仮着したテープ片が幾重にも折曲されることがある。その結果、ときにはテープ片が自然に剥がれてしまい、露出したテープ片粘着面が使用前に汚れて用を果さなくなるという問題がある。また、仮着したテープ片を剥離するときに摘持するテープ片先端部がギャザーの中に埋もれて識別しにくくなり、いざというときにその先端部を見つけるのに手間どるという問題もある。さらにはまた、テープ片の剛性が表面シートや裏面シートのそれに比べて高いと、テープ片とその近傍にはギャザーを生じにくく、そこだけが際立って外観の妨げになったり、たといギャザーを生じたとしてもテープ片の周縁が角張って着用者の肌を刺激しかねないという問題がある。
【０００４】
そこで、この発明においては、比較的剛性の高い吸液性コアの存在によってギャザーを生じることのない裏面シートの外面に、上下方向のいずれかに向かって剥離可能な粘着性の止着用テープ片を設けることにより前記従来技術の諸問題を一挙に解決することを課題にしている。
【０００５】
【課題を解決するための手段】
この発明が前記課題を解決するために手段とするところは、以下のとおりである。
【０００６】
この発明においては、透液性表面シートと不透液性裏面シートとの間に吸液性コアが介在し、胴周り方向と左右脚周り方向の各々に実質的に各々の周り方向に伸縮する弾性部材を有し、前記裏面シートの外面に上下方向に延びる粘着性テープ片を剥離可能に仮着するとともに、該テープ片の上下端部のいずれか一方を前記外面に固着してある使い捨てパンツ型おむつを前提にしている。
【０００７】
かかる前提において、前記裏面シートの内面に胴周り方向に伸長した多数の弾性部材がほぼ平行に貼着してあり、前記粘着性テープ片が、長手方向に二つに折曲された状態で、前記弾性部材によってはギャザーを生じることのない平滑な前記裏面シートの外面に取り付けられていることがこの発明の特徴である。
【０００８】
この発明の好ましい実施態様において、多数の前記弾性部材が前記おむつの胴周り開口部周縁から股下域の下端に至る丈の上から１／４以上の範囲にわたって前記裏面シートの内面に貼着してあり、前記粘着性テープ片が多数の前記弾性部材よりも下方に位置する、前記コアの領域上の平滑な前記裏面シートの外面に取り付けてある。また、この発明の実施態様の他の一つにおいて、おむつの胴周り方向の弾性部材が胴周り開口周縁に貼着した相対的に収縮力の強い弾性リボンと、前記開口周縁を除く前後身頃の少なくともいずれか一方に貼着した相対的に収縮力の弱い弾性リボンとからなる。
【０００９】
このように構成した使い捨てパンツ型おむつは、弾性部材の存在によって胴周りや脚周りにギャザーを生じるが、粘着性テープ片は平滑な裏面シートの外面に取り付けられているからギャザーの影響を受けてそれ自体にギャザーを生じたりすることがない。
【００１０】
【発明の実施の形態】
この発明に係る使い捨てパンツ型おむつの詳細を添付の図面を参照して説明すると、以下のとおりである。
【００１１】
図１は、おむつ１をその後側（背側）から見た部分破断斜視図である。おむつ１は、不織布製の透液性表面シート２とプラスチックフィルム製の不透液性裏面シート３との間に吸液性コア４が介在してなり、胴周り開口部５と左右一対の脚周り開口部６とを有する。おむつ１の上下方向は、前後の身頃部分７ａ，７ｂと股下域８ａ，８ｂとからなり、前後の身頃部分７ａと７ｂとは、左右の胴周り側部において合掌形式に合わせ、接合部１９において剥離不能に固着してある。胴周り開口部５と脚周り開口部６の周縁部には、表裏面シート２，３の少なくともいずれか一方の内面に弾性リボン９，１０が伸長状態で貼着してある。また、前後身頃７ａ，７ｂの少なくともいずれか一方には、開口部５周縁から股下域８ａ，８ｂの下端に至る丈の上から１／４以上の範囲にわたり、裏面シート３の内面に胴周り方向に伸長した多数の弾性リボン１２がほぼ平行に貼着してある。この弾性リボン１２は、胴周りを着用者に軽くフィットさせるためのもので、その１本ずつの収縮力は、弾性リボン１０のそれよりも弱くしてある。吸液性コア４は、粉砕パルプや粉砕パルプと高吸水性ポリマーとの混合物を圧縮賦型したものであって、厚さ３〜２０ｍｍを有し、おむつ１を構成する部材の中にあって比較的剛性が高く、弾性リボン９，１０，１２の収縮力によっては殆ど変形することがない。かかるコア４の左右側縁は、股下域８ａ，８ｂにおいて左右の弾性リボン９の近傍に位置し、前後身頃７ａ，７ｂにおいては左右の接合部１９からやや内側に離隔し、おむつ中心線Ｃ−Ｃ寄りに位置している。おむつ１の後側の股下域８ｂの中心線Ｃ−Ｃ上には、その上下方向に延びる粘着テープ１５が取付けてある。おむつ１が自然状態にあるときには、弾性リボン９，１０，１２が収縮することにより、各開口部５，６近傍や前後身頃７ａ，７ｂに多数のギャザーが生じているが、剛性の高いコア４で満たされた股下域８ａ，８ｂとその近傍には殆どギャザーがなく、そこでの裏面シート３は平滑である。
【００１２】
図２は、図１の中心線Ｃ−Ｃに沿う要部断面図であって、粘着性テープ片１５の詳細を示す。テープ片１５は、幅が５〜３０ｍｍの一条のプラスチックフィルム製または不織布製テープ基材を折曲線Ａで長手方向に二つに折曲し、上下に合わせたものであって、折曲線Ａが股下域８ｂの下端寄りに位置している。折曲して下側となった部分１６は、長さ１０〜６０ｍｍを有し、粘着剤１７により裏面シート３の外面に固着し、容易に剥離することがないようにしてある。上側となった部分１８は、両端ＡＤ間の寸法が下側部分１６よりも長く、ＡＤ間を構成するＡＢ間３〜１０ｍｍには粘着剤２０が塗布してあって、下側部分１６の内面に強く固着して容易に剥離することがない。ＢＣ間１０〜６０ｍｍには粘着剤２１が塗布してあって、下側部分１６の内面に対し、またその内面からおむつ１の上方へ延出する部分が裏面シート３の外面に対し、いずれも剥離可能に仮着してある。上端部のＣＤ間５〜２０ｍｍは、粘着剤の塗布がない摘持域である。テープ片１５は、摘持域ＣＤを持って矢印Ｙ方向、すなわちおむつ１の下方向へ引張ると、ＢＣ間が剥離して粘着剤２１が露出する。粘着剤１７と２０の粘着力は、粘着剤２１のそれよりもはるかに強くしてあり、テープ片１５の剥離はＢで止まり、Ａの方向へそれ以上進むことがない。
【００１３】
図３は、排泄物で汚れたおむつ１を上下方向で二つに折曲して重ね合わせ、テープ片１５で止着した状態を示すおむつ１の模式的側面図である。図のように、テープ片１５の再貼着可能な粘着部分であるＢＣ間でおむつ１の折り返した部分を止めておくと、汚れたおむつ１は広がることがない。なお、止着したテープ片１５は、粘着剤２０と２１の境界線Ｂにおいて下側部分１６の内面から９０°またはそれ以上の開角αになることが時としてあり、その場合には、境界線Ｂで粘着剤２０に強い剥離力が作用する。しかし、粘着剤２０は、その力に耐え得る強い粘着力を有するから、ＡＢ間は剥がれることがない。また、ＡＢ間がこのように作用すると、テープ片１５と裏面シート３との境界である折曲線Ａの部分からテープ片１５を矢印Ｘ方向へ剥離させる力が作用し難いから、たとい接着剤１７の粘着力が多少弱くても、テープ片１５がおむつ１から剥がれてしまうというトラブルも生じない。
【００１４】
この発明に係るおむつ１では、テープ片１５のＢＣ間を除くその他部分では、材料どうしを粘着、固着するのに粘着剤に代えて接着剤を使用したり、材料を熱融着する技術を利用したりすることができる。テープ片１５は、その剥離方向を図示例とは反対にパンツの上に向けることができ、また、その取付け位置をおむつ１の後側に代えて前（腹）側にすることができる。さらにはまた、テープ片１５は、一条のテープ基材を二つに折曲することなく使用し、その一端部を固着し、残余の部分を剥離可能に仮着してもよい。裏面シート３は、プラスチックフィルムを伸縮性のものにしたり、プラスチックフィルムの外面に不織布をラミネートして布様の肌触りのものにしたりすることができる。後者の場合、粘着性テープ片１５は不織布の外面に取付ける。
【００１５】
【発明の効果】
この発明に係る使い捨てパンツ型おむつにおいては、止着用のテープ片を胴周り弾性部材や脚周り弾性部材によってギャザーを生じることのない平滑な裏面シートの外面に取り付けたから、おむつをギャザー仕立てにした場合でもテープはそのギャザーの影響を受けることがなく、使用する以前に自然に剥がれたり、剥がすときに摘持部を見つけにくいといった問題が解消する。
【図面の簡単な説明】
【図１】使い捨てパンツ型おむつを後側から見たときの部分破断斜視図。
【図２】図１のＣ−Ｃ線要部断面図。
【図３】二つに折曲して止着したおむつの模式的側面図。
【符号の説明】
１    使い捨てパンツ型おむつ
２    表面シート
３    裏面シート
４    吸液性コア
５    胴周り開口
９    弾性部材（弾性リボン）
１０    弾性部材（弾性リボン）
１２    弾性部材（弾性リボン）
１５    粘着性テープ片
２１    粘着剤
【図１】
0003597795.tif 000002
【図２】
0003597795.tif 000003
【図３】
0003597795.tif 000004